(57)【要約】【課題】閉口時に一方の部材の突出部がパッキンを押圧する力を軽減するとともに、パッキンの劣化を遅らせる。【解決手段】一方の部材１に突出部１ａを設けるとともに、他方の部材２に凹部２ａを設け、凹部２ａにパっキン３を嵌合する。また、一方の部材１の突出部１ａの周囲に閉口時にパッキン３が密着するような環状の溝部１ｂを設けるとともに、パッキン３の内面側中央及び外面側中央にそれぞれ凹部３ａ，３ｂを設け、外面側凹部３ｂは閉口時に一方の部材１の突出部１ａと嵌合させるとともに、外面側凹部３ｂの深さｈは一方の部材１の突出部１ａと溝部１ｂを合わせた高さＨより浅くし、かつ内面側凹部３ａの径Ｗを外面側凹部３ｂの径ｔより大きくした。【選択図】図１
2008267542.tif 000002
【特許請求の範囲】
【請求項１】
突出部が設けられた一方の部材と、凹部が設けられた他方の部材と、他方の部材の凹部に嵌合されたパッキンとを備え、閉口時に一方の部材の突出部をパッキンに押圧するようにした開閉部を有する電子機器の防水構造において、一方の部材の突出部の周囲に閉口時にパッキンが密着するような環状の溝部を設けとともに、パッキンの内面側中央及び外面側中央にそれぞれ凹部を設け、外面側凹部は閉口時に一方の部材の突出部と嵌合させるとともに、外面側凹部の深さは一方の部材の突出部と溝部を合わせた高さより浅くし、かつ内面側凹部の径を外面側凹部の径より大きくしたことを特徴とする開閉部を有する電子機器の防水構造。
【発明の詳細な説明】
【技術分野】
【０００１】
この発明は、開閉自在な開閉部を有する電子機器の防水構造に関するものである。
【背景技術】
【０００２】
外部に露出する開閉部を有する電子機器は、図３及び図４に示すような防水構造を有する。図３は従来の外部に露出する開閉部を有する電子機器の防水構造の開口時の断面図、図４は閉口時の断面図である。図において、１は突出部１ａを有する一方の部材、２は凹部２ａを有する他方の部材であり、凹部２ａにはパッキン３が嵌合され、パッキン３は内面側中央に凹部３ａを有する。そして、図４に示す閉口時には、一方の部材１の突出部１ａによりパッキン３の外端部の中央部上を押圧することにより、パッキン３の外端部の周辺部が中央方向へ引っ張られ、外端部が一方の部材１の突出部１ａと密着し、突出部１ａとパッキン３の外端部との間に防水面（太線部分）４が形成される。又、パッキン３の内端側では外側に広がる力が働くため、パッキン３の内端側は他方の部材２の凹部２ａに密着し、パッキン３の内端側と他方の部材２の凹部２ａとの間に防水面（太線部分）４が形成される。これらの防水面４により、高い防浸性、防水性を得ることができる。ｄは、閉口時に突出部１ａがパッキン３と接触した後にパッキン３を押し込む距離である。
【０００３】
なお、この出願の発明に関連する先行技術文献情報としては次のものがある。
【特許文献１】特開２００５−１３１６７８号公報
【発明の開示】
【発明が解決しようとする課題】
【０００４】
しかしながら、上記のような構造、特に上記のようなパッキン３の形状では、高い防水性を得るためには、パッキン３の外端部をより強い力で押さえ付け、パッキン３の外端部がより中央方向へ引っ張られることで、突出部１ａとのより大きな密着面を得ることが必要となる。そのためには、開閉部を閉めるときに、即ち一方の部材１をパッキン３に押圧するときに、強い力が必要となった。又、開閉部を何度も開閉する際に何度も強い圧力を印加することにより、パッキン３の劣化が促進されるという問題も生じた。
【０００５】
この発明は上記のような課題を解決するために成されたものであり、閉口時に一方の部材がパッキンを押圧する力を軽減することができるとともに、パッキンの劣化を遅らせることができる開閉部を有する電子機器の防水構造を得ることを目的とする。
【課題を解決するための手段】
【０００６】
この発明の請求項１に係る開閉部を有する電子機器の防水構造は、突出部が設けられた一方の部材と、凹部が設けられた他方の部材と、他方の部材の凹部に嵌合されたパッキンとを備え、閉口時に一方の部材の突出部をパッキンに押圧するようにした開閉部を有する電子機器の防水構造において、一方の部材の突出部の周囲に閉口時にパッキンが密着するような環状の溝部を設けとともに、パッキンの内面側中央及び外面側中央にそれぞれ凹部を設け、外面側凹部は閉口時に一方の部材の突出部と嵌合させるとともに、外面側凹部の深さは一方の部材の突出部と溝部を合わせた高さより浅くし、かつ内面側凹部の径を外面側凹部の径より大きくしたものである。
【発明の効果】
【０００７】
以上のようにこの発明の請求項１によれば、閉口時にパッキンの内面側と他方の部材の凹部との間に広い防水面が形成されるとともに、一方の部材の突出部とパッキンの外面側凹部との間にも広い防水面が形成され、防水性を高めることができる。このため、閉口時に一方の部材の突出部がパッキンを押圧する力が軽減され、パッキンの劣化も遅らせることができる。
【発明を実施するための最良の形態】
【０００８】
以下、この発明を実施するための最良の形態を図面とともに説明する。図１及び図２はこの発明の実施最良形態による開閉部を有する電子機器の防水構造の閉口時の断面図及び開口時の断面図を示し、一方の部材１に突出部１ａを設けるとともに、他方の部材２に凹部２ａを設け、凹部２ａにパッキン３を嵌合する。一方の部材１の突出部１ａの周囲には閉口時にパッキン３が密着するような環状の溝部１ｂを設けるとともに、パッキン３の内面側中央及び外面側中央にそれぞれ凹部３ａ，３ｂを設ける。外面側凹部３ｂは突出部１ａと嵌合可能とするとともに、外面側凹部３ｂの深さｈは一方の部材１の突出部１ａと溝部１ｂとを合わせた高さＨより浅くし、内面側凹部１ａの径Ｗを外面側凹部３ｂの径ｔより大きくする。なお、図１の二点鎖線は突出部１ａの開口時の外形である。
【０００９】
上記構成において、図１に示す閉口時には突出部１ａをパッキン３の外面側凹部３ｂに嵌合させ、さらに距離Ｄだけ押し込む。このとき、パッキン３の内面側では矢印５に示すように他方の部材２の凹部２ａの外方への力が働いて、パッキン３の内面側と他方の部材２の凹部２ａとの間に密着した防水面６（太線部分）が形成されるとともに、パッキン３の外面側が突出部１ａを矢印７に示すように押圧する力が働いて、パッキン３の外面側と突出部１ａとの間に密着した防水面（太線部分）６が形成され、防水面６が広くなり、防水性を高めることができる。
【００１０】
以上のように、上記した実施最良形態によれば、閉口時に広い防水面６が得られるので、閉口時に一方の部材１とパッキン３が接触した後に一方の部材１がパッキン３を押し込む距離Ｄが従来の距離ｄより小さくても、同等の防水性を得ることができ、結果的にパッキン３の反力が減少し、閉口時に突出部１ａがパッキン３を押圧する力が軽減され、パッキン３の劣化も遅らせることができる。
【図面の簡単な説明】
【００１１】
【図１】この発明の実施最良形態による開閉部を有する電子機器の防水構造の閉口時の断面図である。
【図２】実施最良形態による開閉部を有する電子機器の防水構造の開口時の断面図である。
【図３】従来の開閉部を有する電子機器の防水構造の開口時の断面図である。
【図４】従来の開閉部を有する電子機器の防水構造の閉口時の断面図である。
【符号の説明】
【００１２】
１…一方の部材
１ａ…突出部
１ｂ…溝部
２…他方の部材
２ａ，３ａ，３ｂ…凹部
３…パッキン
６…防水面
【図１】
2008267542.tif 000003
【図２】
2008267542.tif 000004
【図３】
2008267542.tif 000005
【図４】
2008267542.tif 000006